(57)【要約】【課題】開閉器と駆動源との操作機構の切り離し及び接続が容易で、作業時間の短縮ができる開閉器の操作機構切り離し装置を提供する。【解決手段】回動可能に枢支され開閉器及び駆動源１０の何れか一方に連結されたピン穴及び連結部を有する伝達レバー４と、上記連結部に回動可能に枢着され、かつ上記開閉器及び駆動源の何れか他方に連結され、上記伝達レバーのピン穴に対向する所定位置に固定用の連通穴を有する駆動レバー７と、ピン体の一端部に回動自在に設けられピン体の軸方向に向きを揃えたときにピン穴に挿脱し得、ピン体の軸方向に略直交する方向に向きを変えたときにピン穴に係止し得る係止片を有する挿脱ピン１２とを備え、上記開閉器と駆動源を連結するときは上記挿脱ピンを上記ピン穴及び連通穴を貫通して装着し、開閉器と駆動源を切り離すときは上記挿脱ピンを引き抜くようにした。【選択図】          図１
2005019175.tif 000002
【特許請求の範囲】
【請求項１】
回動可能に枢支され開閉器及び駆動源の何れか一方に連結されたピン穴及び連結部を有する伝達レバーと、この伝達レバーの連結部に回動可能に枢着され、かつ上記開閉器及び駆動源の何れか他方に連結され、上記伝達レバーのピン穴に対向する所定位置に固定用の連通穴を有する駆動レバーと、ピン体の一端部に回動自在に設けられ該ピン体の軸方向に向きを揃えることによりピン穴に挿脱し得、ピン体の軸方向に略直交する方向に向きを変えることによりピン穴に係止し得る係止片を有する挿脱ピンとを備え、上記開閉器と駆動源を連結するときは上記挿脱ピンを上記ピン穴及び連通穴を貫通して装着し、開閉器と駆動源を切り離すときは上記挿脱ピンを引き抜くようにしたことを特徴とする開閉器の操作機構切り離し装置。
【請求項２】
固定部に支承され開閉器を駆動するための開閉器駆動レバーが設けられた中間軸を備え、上記伝達レバーは溝形に形成され該中間軸に固定されたことを特徴とする請求項１に記載の開閉器の操作機構切り離し装置。
【請求項３】
上記駆動レバーは、上記溝形の伝達レバーの溝内に挿入されるように配設され、該溝内に挿入したときに上記伝達レバーのピン穴と駆動レバーの連通穴が同軸上に合致されるようにしたことを特徴とする請求項２に記載の開閉器の操作機構切り離し装置。
【請求項４】
上記中間軸と一体的に回動し、該中間軸から径方向に離れた位置に上記引き抜かれた挿脱ピンを挿通し得る挿入穴を有するストッパーレバーと、固定部に設けられこのストッパーレバーが所定位置に回動したとき該ストッパーレバーの挿入穴に連通する固定穴を有する固定部材を備えたことを特徴とする請求項２または請求項３に記載の開閉器の操作機構切り離し装置。
【発明の詳細な説明】
【０００１】
【発明の属する技術分野】
この発明は例えば電動操作方式の断路器などに好ましく用いることができる開閉器の操作機構切り離し装置に関するものである。
【０００２】
【従来の技術】
従来の電動操作式断路器においては、断路器とこの断路器の駆動源である電動操作機構とがリンク機構によって機械的に連結され、電動操作機構の駆動力がリンク機構を介して断路器の操作部材に伝達される方式が用いられる。そして、上記リンク機構を構成するレバー類の連結部や枢支部などに用いられる固定ピンは、ピン穴からはみ出した部分のピン体外周面にリング状の溝を形成し、その溝にスナップリングなどのＣ型固定金具を装着することにより脱落防止が図られている。
【０００３】
一方、例えば断路器の試験を行う際などに、電動操作機構の駆動力を断路器に伝達させないように切り離しが容易にできる装置の要請があるが、従来装置では切り離すときに、連結ピンを外すために先ず脱落防止用のＣ型固定金具を専用の工具を用いて取り外し、その次に、ピンを引き抜く作業が行われていた。一方、例えば縫製分野においては、リンク機構が多用されるミシンで、軸部材と連結ピン部材との間のレバー長の調節作業を容易に行うことができるようにしたリンク機構が提案されている（例えば、特許文献１参照。）。
【０００４】
【特許文献１】
特開２０００−７９２９０号公報（第３頁、図１）
【０００５】
【発明が解決しようとする課題】
従来の断路器は以上のような構造であったため、電動操作機構の駆動力を切り離す際には、レバー類を連結している固定ピンを引き抜くために、Ｃ型固定金具を取り外した後に固定ピンを引き抜く作業が必要であり、作業性が悪く切り離し操作に時間がかかるという問題点があった。また、Ｃ型固定金具を取り外す際には工具が必要であり、さらには取り外しの際にＣ型固定金具の変形、損傷、紛失などが発生し易いという問題点があった。さらに、設備を復旧するための接続操作を実施する際にも時間がかかるという問題点があった。また、特許文献１の発明では構造が複雑で適用が困難であるなどの問題があった。
【０００６】
この発明は上記のような従来技術の課題を解決するためになされたもので、断路器などの開閉器とそれを駆動する駆動源との間の操作機構の切り離し及び接続が容易で、作業時間の短縮ができる開閉器の操作機構切り離し装置を提供することを目的としている。
【０００７】
【課題を解決するための手段】
この発明による開閉器の操作機構切り離し装置は、回動可能に枢支され開閉器及び駆動源の何れか一方に連結されたピン穴及び連結部を有する伝達レバーと、この伝達レバーの連結部に回動可能に枢着され、かつ上記開閉器及び駆動源の何れか他方に連結され、上記伝達レバーのピン穴に対向する所定位置に固定用の連通穴を有する駆動レバーと、ピン体の一端部に回動自在に設けられ該ピン体の軸方向に向きを揃えることによりピン穴に挿脱し得、ピン体の軸方向に略直交する方向に向きを変えることによりピン穴に係止し得る係止片を有する挿脱ピンとを備え、上記開閉器と駆動源を連結するときは上記挿脱ピンを上記ピン穴及び連通穴を貫通して装着し、開閉器と駆動源を切り離すときは上記挿脱ピンを引き抜くようにしたものである。
【０００８】
【発明の実施の形態】
実施の形態１．
図１ないし図６はこの発明の実施の形態１になる断路器の操作機構切り離し装置の要部を説明する図であり、図１は断路器（図示省略）が開成状態でリンク確立時の状態を示す正面図、図２は図１の側面図、図３は用いる伝達レバー（ａ）及び駆動レバー（ｂ）の形状を示す平面図、図４はこの発明に用いる挿脱ピンを示す正面図（図４（ａ））、及び側面図（図４（ｂ））、図５は断路器が閉成状態でリンク接続時の状態を示す正面図、図６は断路器が開成状態でリンク切り離し時の状態を示す側面図である。なお、各図を通じて同一符合は同一もしくは相当部分を示している。
【０００９】
図に示すように、フレームなどの固定部１に設けられた一対の軸受部２には中間軸３が回動可能に支承されている。この中間軸３には、溝形の伝達レバー４と、図示を省略している断路器の操作部材に連結される断路器駆動レバー５と、所定時に中間軸３の回動を阻止するためのストッパーレバー６が固着されて取り付けられている。上記伝達レバー４の所定位置には、図３（ａ）に示すように貫通孔からなる連結部４ａとピン穴４ｂが設けられており、該連結部４ａには駆動レバー７が固定ピン８によって回動可能に枢着されている。なお、Ｃは固定ピンの脱落を防止するためのＣ型固定金具（スナップリング）である。
【００１０】
上記駆動レバー７の所定位置には、図３（ｂ）に示すように上記伝達レバー４の連結部４ａに連結するための連結穴７ａと、伝達レバー４のピン穴４ｂに対向する位置に貫通された連通穴７ｂと、ロッドレバー９と連結するための駆動源連結穴７ｃがそれぞれ設けられている。ロッドレバー９の図の上端部は固定ピン１３によって駆動レバー７に連結され、図の下端部は駆動源である電動操作機構１０の出力軸１０ａに固定された出力レバー１１に固定ピン１４によって連結されている。
【００１１】
そして、上記断路器と駆動源のリンクを確立するときには、固定ピン８を支点に駆動レバー７を回動して上記伝達レバー４のピン穴４ｂと駆動レバー７の連通穴７ｂを合致させて同軸とし、図４に示す挿脱ピン１２を挿通することによって伝達レバー４と駆動レバー７とを一体化し、駆動レバー７が中間軸３を支点として伝達レバー４と一体的に回動するようになされている。
【００１２】
上記挿脱ピン１２は、図４に示すようにピン体１２ａの一端部に設けられた溝状の切り欠き１２ｂに、ピン１２ｃによって矢印Ａ方向に回動自在に支承された係止片１２ｄと、頭部１２ｅを備えたものであり、係止片１２ｄをピン体１２ａの軸方向に揃えたときに、伝達レバー４のピン穴４ｂと駆動レバー７の連通穴７ｂに挿通可能であり、ピン体１２ａの軸方向に略直交する向きに偏向したとき（図４（ｂ）の状態）には、頭部１２ｅと係止片１２ｄによってピン穴４ｂに係止される。
【００１３】
なお、溝形の伝達レバー４と中間軸３の個々の形状と取り付け方式、駆動レバー７とロッドレバー９との固定ピン１３、ロッドレバー９と電動操作機構１０の出力レバー１１との固定ピン１４は、従来装置と同様にＣ型固定金具Ｃによって固定されている。また、固定部１の図の上方部には、所定時にストッパーレバー６を固定するための固定穴１５ａを有するストッパーレバー固定部材１５が取り付けられているが、その動作については下記実施の形態２で説明する。
【００１４】
次に、上記のように構成された実施の形態１の動作を説明する。図１及び図２の断路器開成状態から閉成状態にするには、駆動源である電動操作機構１０の出力レバー１１を図２の時計方向に回動させると、これに従来と同様の固定ピン１４で連結されたロッドレバー９が図２の上方向に駆動され、ロッドレバー９の上端部で固定ピン１３と連結された駆動レバー７、及びこれと一体の伝達レバー４を中間軸３のまわりに反時計方向に回動することにより、断路器駆動レバー５が反時計方向に回動し、図示を省略している断路器の操作部材を駆動して断路器を閉成し、図５の状態となる。なお、断路器を開成状態にするには出力レバー１１を逆の方向に動作させればよい。
【００１５】
一方、断路器の試験やメンテナンス等のため、断路器と駆動源とのリンク機構を切り離す必要が生じたときは、伝達レバー４と駆動レバー７を連結している挿脱ピン１２の係止片１２ｄをピン体１２ａの軸方向に揃えることにより該挿脱ピン１２をピン穴４ｂ及び連通穴７ｂから引き抜くことで、電動操作機構１０の伝達力を中間軸３に伝達しないように切り離し操作が容易にできる。図６は該挿脱ピン１２を引き抜いた状態で出力レバー１１が断路器閉成方向（時計方向）に回動されても、駆動レバー７が伝達レバー４との連結部に設けられた固定ピン８のまわりに回動するのみで、中間軸３が回動しない状態を示している。
【００１６】
上記のように、この実施の形態１によれば、駆動源の駆動力を断路器に伝達するときには挿脱ピン１２を伝達レバー４のピン穴４ｂ及び駆動レバー７の連通穴７ｂに挿通することにより伝達レバー４と駆動レバー７とを一体化し、駆動源の駆動力を断路器から切り離すときには、上記挿脱ピン１２を引き抜くことにより断路器と切り離すようにしたので、構造が簡単で、切り離し及び接続の切り替えが容易にできる。またＣ型固定金具（スナップリング）が不要であるので、専用の工具も不要となり、切り離し及び接続操作を短時間に行うことができる。また取り外したＣ型固定金具の変形、損傷、紛失などの問題も解消できる。従って、安全性、信頼性の高い断路器の切り離し装置を得ることができる。
【００１７】
実施の形態２．
図７は、この発明の実施の形態２による断路器の操作機構切り離し装置の要部を模式的に示す図であり、図７（ａ）はストッパーレバーを挿脱ピンで固定した状態を示す側面図、図７（ｂ）は図７（ａ）のストッパーレバーの一部を破断して示す一部断面正面図である。ストッパーレバー固定部材１５は、ストッパーレバー６の先端部を受け入れる溝部１５ｂを有し、この溝部１５ｂの両壁部に挿脱ピン１２を挿入するための固定穴１５ａが中間軸３と平行に設けられている。
【００１８】
また、中間軸３に固着されたストッパーレバー６の先端部には、上記ストッパーレバー固定部材１５の固定穴１５ａに対応する位置に固定用の貫通孔６ａが設けられている。また、挿脱ピン１２の係止片１２ｄを回動操作を行うために、図７（ｂ）に示すストッパーレバー固定部材１５の前面部はアクセス可能に開放されている。その他の構成は上記実施の形態１と同様であるので説明を省略する。
【００１９】
次に、上記のように構成された実施の形態２の動作を説明する。断路器の点検や試験時には、上記実施の形態１における断路器開成状態（図２の状態）で、挿脱ピン１２を引き抜き、駆動源と断路器が切り離されるが、引き抜いた挿脱ピン１２をストッパーレバー固定部材１５の固定穴１５ａからストッパーレバー６の貫通穴６ａに挿通することにより、ストッパーレバー６をストッパーレバー固定部材１５に固定する。その他の動作は上記実施の形態１と全く同様である。
【００２０】
上記のように、実施の形態２によれば、上記実施の形態１と同様の効果に加えて、断路器と断路器を駆動する電動操作機構を切り離した状態において中間軸３の回転を規制することができ、これにより断路器の不要動作を防止することができる付随効果が得られる。また、引き抜いた挿脱ピン１２をそのままストッパーレバー６の係止に使うので、紛失防止にもなる。
【００２１】
ところで、上記実施の形態の説明では、伝達レバー４を被駆動側の断路器側に設け、駆動レバー７を駆動源の側に配設したが、必ずしもこれに限定されるものではなく、駆動側と被駆動側を逆にしても同様の効果が得られる。また、挿脱ピンは、一端部に係止片、他端部に頭部を設けた例について説明したが、両端部に係止片を設けても差し支えない。また、係止片１２ｄが動作中に振動等で回動するのを防止する手段を設けることは信頼性向上の上で望ましい。
【００２２】
さらに、伝達レバー４は溝形に形成したが、これに限定されないことは勿論であり、例えば、板状でもよいし、駆動レバー７を溝形にしても良い。要するに開閉器と駆動源とのリンク機構に上記伝達レバー４と駆動レバー７を介在させれば同様の効果が期待できる。さらに、断路器駆動レバー５と伝達レバー４を中間軸３の異なる位置に設けた場合について説明したが必ずしもこれに限定されない。また、開閉器が断路器である場合について説明したが、例えば真空遮断器、ガス絶縁遮断器などの遮断器などであっても同様の効果が期待できる。その他、この発明の精神を逸脱しない範囲で種々の変形や変更が可能であることは言うまでもない。
【００２３】
【発明の効果】
以上説明したように、この発明によれば開閉器と駆動源との操作機構の切り離し及びリンクの確立が容易で、作業時間の短縮ができる開閉器の操作機構切り離し装置を提供することができる。
【図面の簡単な説明】
【図１】実施の形態１による断路器の操作機構切り離し装置において断路器が開成状態でリンク確立時の状態の要部を示す正面図である。
【図２】図１に示す断路器の操作機構切り離し装置の側面図である。
【図３】図１の装置に用いる伝達レバー（ａ）及び駆動レバー（ｂ）の形状を示す平面図である。
【図４】図１に用いる挿脱ピンを示す正面図（ａ）、及び側面図（ｂ）である。
【図５】図１の断路器が投入状態でリンク確立時の状態を示す正面図である。
【図６】図１の断路器が開放状態でリンク切り離し時の状態を示す側面図である。
【図７】実施の形態２による断路器の操作機構切り離し装置の要部を示す図であり、図７（ａ）はストッパーレバーを挿脱ピンで固定した状態を示す側面図、図７（ｂ）は図７（ａ）のストッパーレバーの一部を破断して示す一部断面正面図である。
【符号の説明】
１  固定部、  ２  軸受部、  ３  中間軸、  ４  伝達レバー、  ５  断路器駆動レバー、  ６  ストッパーレバー、  ７  駆動レバー、  ８、１３、１４  固定ピン、  ９  ロッドレバー、  １０  駆動源（電動操作機構）、  １１  出力レバー、  １２  挿脱ピン、  １２ｄ  係止片、  １５  ストッパーレバー固定部材、  Ｃ  Ｃ型固定金具。
【図１】
2005019175.tif 000003
【図２】
2005019175.tif 000004
【図３】
2005019175.tif 000005
【図４】
2005019175.tif 000006
【図５】
2005019175.tif 000007
【図６】
2005019175.tif 000008
【図７】
2005019175.tif 000009